(57)【特許請求の範囲】
【請求項１】
反射体本体の反射部の下方に有するバックライト基板と、
反射体本体の下部で、バックライト基板および液晶表示体のドライバーを内蔵するＣＯＢ基板と、
反射体本体の反射部の上方に裁置した拡散フィルムおよび液晶表示体と、
ＣＯＢ基板と液晶表示体を接続するゼブラコネクターと、
これら全てを固定する固定フレームとを有する液晶表示装置において、
反射体本体の一側に設けた開口部より挿入し、棚部で支持しているバックライト基板は、反射体本体に位置決めしているＣＯＢ基板と接続体で接続固定することで、バックライト基板とＣＯＢ基板を反射体本体に固定することを特徴とする液晶表示装置。
【請求項２】
反射体本体の反射部の下方に有するバックライト基板と、
反射体本体の下部で、バックライト基板および液晶表示体のドライバーを内蔵するＣＯＢ基板と、
反射体本体の反射部の上方に裁置した拡散フィルムおよび液晶表示体と、
ＣＯＢ基板と液晶表示体を接続するゼブラコネクターと、
これらを内部に固定する固定フレーム７とを有する液晶表示装置において、
反射体本体の反射部の上端面に前方に開口する裁置部を設け、
裁置部に相対する位置の固定フレームの側面に拡散フィルム挿入孔を開口し、拡散フィルム挿入孔から裁置部上面に拡散フィルムを挿入可能としたことを特徴とする液晶表示装置。
【請求項３】
請求項２記載の液晶表示装置において、
拡散フィルム挿入孔の適宜位置に拡散フィルム引出孔を固定フレームの側面に開口したことを特徴とする液晶表示装置。
【請求項４】
請求項２又は３に記載の液晶表示装置において、
拡散フィルム挿入孔の下辺面の位置を裁置部の面より若干上方に位置させたことを特徴とする液晶表示装置。
【発明の詳細な説明】
【０００１】
【発明の属する技術分野】
本発明は、例えば押しボタンスイッチを内蔵し、押片部に液晶表示を行う為に用いる液晶表示装置に関するものである。
【０００２】
【従来の技術】
従来、押しボタンスイッチ等の液晶表示装置は、例えば特開昭６４−４５０２８号公報、実開平４−２５１２４号公報等に記載されているように、スイッチ部に液晶表示付加させている構成のものが種々提案されている。
【０００３】
そして、従来の押しボタンスイッチ等の液晶表示装置は、標準色、高輝度色など輝度に応じた複数種類の仕様のものが製作されていた。この為コスト等があまり下がらず、広範囲に普及することがなかった。
【０００４】
【発明が解決しようとする課題】
本発明は、標準色、高輝度色など輝度に応じた複数種類等、広範囲に仕様のものを製作するに際し、一番の課題は、各色に応じて発光ダイオード等のバックライトと液晶表示部の表示部との色調、明暗等バランスの調整である。即ち、標準色と高輝度色とを同一の拡散フィルムで表示しようとすると、両者の輝度の違いにより極端に暗くなったり、または明るすぎてバックライトの光源が見えてしまい不自然な表示になってしまう。
この為、特に単一色にした様々の色の表示におけるバックライトの高輝度やフルカラーの表示は、ユーザーの種々の要望に添う製作を実施しようとすれば、多種の在庫等をストックしておく必要が有り、大幅なコストアップにつながることになる。
【０００５】
【課題を解決するための手段】
本発明は、広範囲な用途に対応でき、かつ安価に製作できる液晶表示装置を提供することを目的になしたもので、以下に説明するような特徴を備えている。
請求項１記載の発明は、以下の点を特徴とする。
反射体本体の反射部の下方に有するバックライト基板と、反射体本体の下部で、バックライト基板および液晶表示体のドライバーを内蔵するＣＯＢ基板と、反射体本体の反射部の上方に裁置した拡散フィルムおよび液晶表示体と、ＣＯＢ基板と液晶表示体を接続するゼブラコネクターと、これら全てを固定する固定フレームとを有する液晶表示装置において、反射体本体の一側に設けた開口部より挿入し、棚部で支持しているバックライト基板は、反射体本体に位置決めしているＣＯＢ基板と接続体で接続固定することで、バックライト基板とＣＯＢ基板を反射体本体に固定することを特徴とする。
【０００６】
請求項２記載の発明は、反射体本体の反射部の下方に有するバックライト基板と、反射体本体の下部で、バックライト基板および液晶表示体のドライバーを内蔵するＣＯＢ基板と、反射体本体の反射部の上方に裁置した拡散フィルムおよび液晶表示体と、ＣＯＢ基板と液晶表示体を接続するゼブラコネクターと、これらを内部に固定する固定フレーム７とを有する液晶表示装置において、反射体本体の反射部の上端面に前方に開口する棚部裁置部を設け、裁置部に相対する位置の固定フレームの側面に拡散フィルム挿入孔を開口し、拡散フィルム挿入孔から裁置部上面に拡散フィルムを挿入可能としたことを特徴とする。
【０００７】
請求項３記載の発明は、請求項２記載の液晶表示装置において、拡散フィルム挿入孔の適宜位置に拡散フィルム引出孔を固定フレームの側面に開口したことを特徴とする。
【０００８】
請求項４記載の発明は、請求項２又は３に記載の液晶表示装置において、拡散フィルム挿入孔の下辺面の位置を裁置部の面より若干上方に位置させたことを特徴とする。
【０００９】
（作用）
本発明は、上述のように構成し、反射体本体の一側に設けた棚部より挿入し、開口部で支持しているバックライト基板は、反射体本体に位置決めしているＣＯＢ基板と接続体で接続することにより、反射体本体を固定する構成となっている。この為、複数のバックライト基板とＣＯＢ基板の組合せで、広範囲な上記フルカラー等発光源に即した光源を反射体本体１に簡易に取付けることが出来るように作用する。
【００１０】
また、請求項２記載の発明のように、反射体本体の反射部上面に、前方に開口する裁置部を設け、裁置部に相対する位置の固定フレームの側面に拡散フィルム挿入孔を開口し、拡散フィルム挿入孔から裁置部上面に拡散フィルムを挿入可能とした構成とすることにより、液晶表示装置の実質的に組み立てた後に拡散フィルムを交換可能であることより、標準色、高輝度色など色調、明暗等に合わせた拡散フィルムの交換が可能であり、よりユーサーの要望に対応できる。
【００１１】
更に、請求項３記載の発明のように、拡散フィルム挿入孔の適宜位置に拡散フィルム引出孔を固定フレームの側面に開口する構成とすることにより拡散フィルムの交換を簡便にすることが出来る。
【００１２】
また、請求項４記載の発明のように、拡散フィルム挿入孔の下辺面の位置を裁置部の面よりを若干上方に位置させることにより、組立の際に拡散フィルムがみだりに固定フレームの外に抜け出ることを防止することが出来る。
【００１３】
【発明の実施の形態】
以下、図面に基づいて、本発明の実施の形態の一例を説明する。
図面は本発明の液晶表示装置の１例を示したもので、図１は分解斜視図、図２は反射体本体１部の拡大斜視図、図３は固定フレーム７部の拡大斜視図、図４は拡散フィルム挿入孔７４部の拡大断面説明図、図５は組立説明図である。
【００１４】
（反射体本体）
反射体本体１は、白色プラスチック等適宜材料より形成され、中央上方に向かって反射部１１が形成され、そして、その下部に開口が設けられている。この反射部１１の下部には、後述するバックライト基板２を挿入し保持する為の、棚部１２を両脇に有する開口部１３が反射体本体１の前面に設けられている。
反射部１１の上面は，裁置部１４が設けられており、後述する拡散フィルム４が挿入裁置する。そして、裁置部１４の背面側の反射体本体１には、係止杆１５を付設している。
また、反射部１１の両脇にはゼブラコネクター保持孔１６が穿設されており、後述するゼブラコネクター６が挿通可能となっている。ゼブラコネクター保持孔１６の前側には、係止突起１７が立設されている。
なお、図中１８は、前記ＣＯＢ基板３を取り付ける際に方向を逆に取り付けることを防止する為に、反射体本体１の裏面に取り付けたＣＯＢ基板位置決め突起である。
【００１５】
（バックライト基板）
バックライト基板２は、通常の基板と同様の構成で、上面にＬＥＤ２１が複数設けられており、前記反射体本体１の反射部１１の下方開口内にＬＥＤ２１が位置する配置となっている。そして、前面の端部には、後述するＣＯＢ基板３と接続する為の、接続部２２が設けられている。
【００１６】
（ＣＯＢ基板）
ＣＯＢ基板３は、液晶表示体５やバックライト基板２を作動させるためのドライバーを組み込んだチップオンボードであり、前面に前記バックライト基板２の接続部２２と接続する接続部３１が設けられ、両脇部には、液晶表示体５と接続する為の接続部３２を設けている。
なお、図中３３は、前記ＣＯＢ基板位置決め突起１８を挿入するＣＯＢ基板位置決め孔である。
【００１７】
（拡散フィルム）
拡散フィルム４は、前記反射体本体１の裁置部１４上に挿入裁置し、下方に位置するＬＥＤ２１の光を拡散させ、濃度むら等を防止し、拡散フィルム４の上方にある液晶表示体５の文字等の表示を見やすくするために用いる。そして、この拡散フィルム４は、ＬＥＤ２１の色の種類、光量等により、凹凸度、厚さのものを選択して用いる。
【００１８】
（液晶表示体）
液晶表示体５は、文字、図形等適時情報を表示している液晶を内封したガラス状体であり、その大きさは前記反射体本体１の幅で、反射体本体１の係止杆１５と係止突起１７の間に入る長さとなっている。
図示はしないが、液晶表示体５の裏面には前記ＣＯＢ基板３部の接続部３２とゼブラコネクター６を接続する為の、透明端子が設けられている。
なお、図中５１は、液晶表示体５を固定フレーム７に逆に取り付けることを防止する為の突起である。
【００１９】
（ゼブラコネクター）
ゼブラコネクター６は、前記反射体本体１の係止突起内に挿入して、前記ＣＯＢ基板３と液晶表示体５を接続する為に用いるもので、導電性ゴムを主成分とするものである。
【００２０】
（固定フレーム）
固定フレーム７は、上記した反射体本体１、バックライト基板２、ＣＯＢ基板３、拡散フィルム４、液晶表示体５及びゼブラコネクター６を内包して保護する役目で設けられている。本実施例では、ステンレスを所定の形に打ち抜いた後折り曲げ形成している。
具体的には、前側に門型に形成した前板７０、背面に後板７１、両側面に側板７２を設け、上面となる部分に開口部７３を設けている。そして、前板７０の門型に打ち抜いている上部に横方向に拡散フィルム挿入孔７４を穿設している。
ここで、拡散フィルム挿入孔７４は、図４（ａ）（ｂ）に示すように、設ける位置は、拡散フィルム挿入孔７４の下辺面の位置を裁置部１４の面よりを若干上方（図４（ｂ）中ｘ）に位置させている。これは、拡散フィルム４を拡散フィルム挿入孔７４から挿入した後、同図（ｂ）に示す如く、拡散フィルム４が拡散フィルム挿入孔７４から、組立作業時等に外に抜け出にくくするためである。
また、この拡散フィルム挿入孔７４の適宜位置に拡散フィルム引出孔７５を設けている。この拡散フィルム引出孔７５内に、図４（ｄ）に示すように取出工具８２の先端を挿入し、拡散フィルム４の先端をつまみ、拡散フィルム４を拡散フィルム挿入孔７４から抜き出す。
更に、この拡散フィルム挿入孔７４の中央部には上方に向かって液晶表示体位置決め孔７６が穿設されており、前記液晶表示体５の突起５１の先端が軽く挿入可能としている。
また、後板７１には反射体本体位置決め孔７７が設けられてあり、前記した係止杆１５が嵌入し、反射体本体１を逆方向に取り付けることを防止している。
さらに、凹み部７８は固定フレーム７の上面に内側に帯状に凹ませたもので、固定フレーム７の強度向上と、液晶表示体５の上面に当接しゼブラコネクター６との接続をより完全なものとしている。
また、固定片７９は，反射体本体１を固定フレーム７に組みつけた後に、固定片７９を内方に曲げ、反射体本体１を固定フレーム７に固定する。
【００２１】
本発明は上述のように構成し図５に示す如く、反射体本体１（同図（ａ））にバックライト基板２を挿入し（同図（ｂ））、ついで反射体本体１にＣＯＢ基板３を取り付ける（同図（ｃ））。次いで、バックライト基板２の接続部２２と接続部３１を接続体８を介し半田付け等適宜手段で接続固定する（同図（ｄ））。そして反射体本体１の係止突起にゼブラコネクター６を挿入し（同図（ｅ））、反射体本体１に液晶表示体５を載せ（同図（ｆ））、これらを固定フレーム７に挿入し（同図（ｇ））、次いで固定片７９を内方に折り曲げ、拡散フィルム４を拡散フィルム挿入孔７４から挿入し組立を完了する（同図（ｈ））。
【００２２】
本発明は上述のように構成し、例えば照光式押しボタンスイッチに適用した例を、図６〜８に示す。スイッチ９０を有する基部９１に上下に進退可能な押しボタン部が設けられている。そして、この押しボタン部９２内に本発明の液晶表示装置を収容している。押しボタン部９２には、固定フレーム７の開口部７３と同様に窓部９３が設けられ、窓部９３には透明の保護体９４が嵌合する構成となっている。
【００２３】
【発明の効果】
本発明は、上述のように構成し、複数のバックライト基板とＣＯＢ基板の組合せで、広範囲な上記フルカラー等発光源に即した光源を反射体本体１に取り付けることが出来る。そして、液晶表示装置の実質的に組み立てた後に、拡散フィルムを交換可能であることより、色調に合わせた拡散フィルムの交換が可能であり、よりユーサーの要望に対応できる等、広範囲な用途に対応でき、かつ構成が簡易であり、安価に製作できる液晶表示装置を提供することが出来る。
【図面の簡単な説明】
【図１】本発明に係る液晶表示装置の分解斜視図である。
【図２】本発明に係る液晶表示装置に使用する反射体本体１部の拡大斜視図である。
【図３】本発明に係る液晶表示装置に使用する固定フレーム７部の拡大斜視図である。
【図４】本発明に係る液晶表示装置に使用する固定フレーム７の拡散フィルム挿入孔７４部の拡大断面説明図である。
【図５】本発明に係る液晶表示装置の組立説明図である。
【図６】本発明に係る液晶表示装置を押しボタンスイッチに適用したときの説明図である。
【図７】図６の一部切り欠き拡大断面図である。
【図８】本発明に係る液晶表示装置を押しボタンスイッチに適用したときので外観斜視図である。
【符号の説明】
１  反射体本体
１１    反射部
１２    棚部
１３    開口部
１４    裁置部
１５    係止杆
１６    ゼブラコネクター保持孔
１７    係止突起
１８    ＣＯＢ基板位置決め突起
２      バックライト基板
２１    ＬＥＤ
２２    接続部
３      ＣＯＢ基板
３１    接続部
３２    接続部
３３    ＣＯＢ基板位置決め突起
４      拡散フィルム
５      液晶表示体
５１    突起
６      ゼブラコネクター
７      固定フレーム
７０    前板
７１    後板
７２    側板
７３    開口部
７４    拡散フィルム挿入孔
７５    拡散フィルム引出孔
７６    液晶表示体位置決め孔
７７    反射体本体位置決め孔
７８    凹み部
７９    固定片
８０    接続体
８１    取出工具
９０    スイッチ
９１    基部
９２    押しボタン部
９３    窓部
９４    保護体
【図１】
0003705339.tif 000002
【図２】
0003705339.tif 000003
【図３】
0003705339.tif 000004
【図４】
0003705339.tif 000005
【図５】
0003705339.tif 000006
【図６】
0003705339.tif 000007
【図７】
0003705339.tif 000008
【図８】
0003705339.tif 000009